(57)【要約】【課題】  ソーセージ製造機械（１０）の詰めチューブに、ケーシング支持スリーブを迅速に装填する方法及び装置を提供する。【解決手段】  本発明の方法は、事前装着済みスリーブ（４４）を送り機構上に配置して、スリーブ（４４）をエマルジョン詰めチューブ（１４）の吐出端部（１５）と整合する位置へ選択的かつ順次に移動させること、及び詰めチューブ（１４）を各スリーブ（４４）内へ順次に移動させて、エマルジョンを詰めチューブ（１４）からスリーブ（４４）に取り付けられたケーシング（５２）内へ、１つにはケーシングに流入するエマルジョンの移動によってケーシング（５２）がスリーブ（４４）から摺動可能に取り外されるまで、押し出すことを可能にする。本発明の装置は、製造機に適当に移動可能に取り付けられた取り付け具を有し、取り付け具は、複数の事前装着済みスリーブ（４４）を備え、ケーシングにエマルジョンを順次に充填するために、スリーブを詰めチューブ（１４）と選択的と整合させるように、順次移動する。
2005527229.tif 000002
【特許請求の範囲】
【請求項１】
天然ケーシングにソーセージエマルジョンを詰める方法であって、
異なる長さの複数の天然ケーシングを入手するステップと、
前記ケーシングより短かく、それより小径である細長い中空の端部開放形スリーブ上に各ケーシングを収縮させることによって、事前装着するステップと、
前記事前装着済みスリーブを送り機構上に配置するステップと、
前記スリーブを詰めチューブの吐出端部と整合する位置へ、選択的かつ順次に移動させるステップと、
前記詰めチューブを、前記スリーブの各々の内部へ順次に移動させ、エマルジョンを前記詰めチューブを通して、前記スリーブに取り付けられた前記ケーシング内へ、前記ケーシングに流入するエマルジョンの移動によって、前記ケーシングが前記スリーブから摺動可能に取り外されるまで押し出すステップ
とを含む方法。
【請求項２】
各スリーブ上の前記ケーシングにエマルジョンが充填されたとき、前記スリーブを前記送り機構から順次に落下させるステップを含む、請求項１に記載の方法。
【請求項３】
複数の事前装着済みスリーブが、選択的に回転可能なカルーセルプレート上に取り付けられて、前記スリーブが後退時に前記詰めチューブと整合する位置へ移動するとき、前記詰めチューブは、選択的に各スリーブ内へ、伸張可能かつそれから後退可能であり、また、前記詰めチューブは、その上に摺動可能に取り付けられた前記スリーブの１つの内部へ、ねじり及びリンキング作業部に向けて移動して、エマルジョンを前記ケーシング内へ押し出し、それにより、その時に前記詰めチューブ上にある前記ケーシングに充填し、次に、前記ケーシングが満たされたとき、前記詰めチューブを、その時にそれに取り付けられている前記スリーブから後退させ、次に、前記カルーセルプレートを順次に回転させ、それによって、前記カルーセルプレート上の残りの事前装着済みスリーブに関して以上のステップを繰り返す、請求項１に記載の方法。
【請求項４】
フレーム、エマルジョンポンプ、及びこのポンプからエマルジョンを吐出するために開放吐出端部を設けた中空詰めチューブを有するソーセージ製造機械であって、この製造機械に取り付けられた、選択的に回転可能なカルーセルプレートと、このカルーセルプレートに連結されて、それを選択的に回転させる手段と、前記カルーセルプレートに取り付けられて、開放吐出端部を有する複数の中空の端部開放形の細長いスリーブであって、このスリーブより大径で長い天然ケーシングが各スリーブに事前装着され、前記ケーシングは、前記スリーブの外面上で収縮状態にあるスリーブと、前記詰めチューブが後退位置へ長手方向に移動しているとき、前記スリーブが前記詰めチューブと整合する位置へ移動すると、前記詰めチューブを、各スリーブに対して長手方向に選択的に出し入れする手段と、この製造機械の前記詰めチューブの下流側に配置されたねじり及びリンキング作業部とを備え、それにより、前記詰めチューブが長手方向に移動して、１つのスリーブに貫入するとき、前記スリーブは、前記ねじり及びリンキング作業部の方へ移動して、その上のケーシングに、前記詰めチューブの吐出端部から押し出されたエマルジョンが充填され、また、前記詰めチューブが逆向きに長手方向移動することにより、前記詰めチューブがスリーブから後退し、また、前記カルーセルプレートがさらに回転することにより、別の事前装着済みスリーブが、前記詰めチューブと整合し、それにより、前記スリーブに詰めチューブが貫入して、その上のケーシングに順次に充填するようになっているソーセージ製造機械。
【請求項５】
複数の事前装着済みスリーブが横ラックに取り付けられており、この横ラックは、横方向に移動可能に配置され、それにより、前記ラック上の前記事前装着済みスリーブを、詰めチューブと選択的に整合させ、前記詰めチューブを長手方向に選択的に移動させ、また、前記ラックを選択的に横方向に移動させ、それにより、前記詰めチューブが前記ラック上のスリーブに順次に貫入して、その上の前記ケーシングにエマルジョンを充填することを特徴とする、請求項１に記載の方法。
【請求項６】
フレーム、エマルジョンポンプ、及びこのポンプからエマルジョンを吐出するために開放吐出端部を設けた中空詰めチューブを有するソーセージ製造機械であって、この製造機械に取り付けられた横ラックと、このラックに取り付けられて、開放吐出端部を有する複数の中空の端部開放形の細長いスリーブであって、このスリーブより大径で、長いソーセージケーシングが、このスリーブに事前装着され、前記ケーシングは、前記スリーブの外面上で収縮状態にあるスリーブと、前記詰めチューブが後退位置へ移動しているとき、前記ラックを選択的に横方向移動させ、それによって、その上のスリーブを前記詰めチューブと整合する位置に順次に整合させる動力手段と、前記詰めチューブが後退位置へ長手方向に移動しているとき、前記スリーブが前記詰めチューブと整合する位置へ移動すると、前記詰めチューブを選択的に長手方向に移動させて、前記詰めチューブを前記スリーブに対して出し入れすることができる動力手段と、この製造機械の前記詰めチューブの下流側に配置されたねじり及びリンキング作業部とを備え、それにより、前記詰めチューブが長手方向に移動して、１つのスリーブに貫入するとき、前記スリーブは、前記ねじり及びリンキング作業部の方へ移動して、その上のケーシングに、前記詰めチューブの前記吐出端部から押し出されたエマルジョンを充填し、また、前記詰めチューブが逆向きに長手方向移動することにより、前記詰めチューブがスリーブから後退し、また、前記ラックがさらに横方向移動することにより、前記ラック上の他の事前装着済みスリーブが前記詰めチューブと順次に整合し、それにより、前記スリーブに詰めチューブが順次に貫入して、その上の前記ケーシングに充填するようになっているソーセージ製造機械。
【請求項７】
前記ラックを長手方向に移動させるために、ピニオン手段が前記ラックに組み合わされている、請求項６に記載のソーセージ製造機械。
【請求項８】
フレーム、エマルジョンポンプ、及びこのポンプからエマルジョンを吐出するために開放吐出端部を設けた中空詰めチューブを有するソーセージ製造機械であって、この製造機械に移動可能に取り付けられたスリーブ支持プレートと、このプレートに連結されて、それを選択的に順次に移動させる手段と、前記プレートに取り付けられて、開放吐出端部を有する複数の中空の端部開放形の細長いスリーブであって、このスリーブよりも大径で、長いソーセージケーシングが、前記スリーブに事前装着され、前記ケーシングは、前記スリーブの外面上で収縮状態にあるスリーブと、前記詰めチューブが後退位置へ長手方向に移動しているとき、前記スリーブが前記詰めチューブと整合する位置へ移動すると、前記詰めチューブを各スリーブに対して長手方向に選択的に出し入れする手段と、この製造機械の前記詰めチューブの下流側に配置されたねじり及びリンキング作業部とを備え、それにより、前記詰めチューブが長手方向に移動して１つのスリーブに貫入すると、前記スリーブは前記ねじり及びリンキング作業部の方へ移動して、その上の前記ケーシングに、前記詰めチューブの前記吐出端部から押し出されたエマルジョンを充填し、また、前記詰めチューブが逆向きに長手方向移動することにより、前記詰めチューブが前記スリーブから後退し、また、前記プレートがさらに順次に移動することにより、別の事前装着済みスリーブが前記詰めチューブと整合し、それにより、前記スリーブに前記詰めチューブが貫入して、その上の前記ケーシングに順次に充填するようになっているソーセージ製造機械。
【請求項９】
ソーセージケーシングにエマルジョンを詰める方法であって、
異なった長さの複数のケーシングを入手するステップと、
前記ケーシングよりも短かく、それよりも小径である細長い中空の端部開放形スリーブ上に前記ケーシングを、前記スリーブの外面上で前記ケーシングを収縮させることによって、事前装着するステップと、
前記事前装着済みスリーブを、ソーセージ製造機械の詰めチューブの開放端部と整合した底端部を有する重力送り機構内に配置するステップと、
前記重力送り機構の前記底端部に位置するスリーブ内へ前記詰めチューブを移動させるステップと、
エマルジョンを、前記詰めチューブを通して前記重力送り機構の前記底端部に取り付けられた前記ケーシング内へ、前記ケーシングに流入するエマルジョンの移動によって、前記ケーシングが前記スリーブから取り外されるまで押し出すステップと、
前記スリーブを前記重力送り機構の底部から取り外すステップと、
別の事前装着済みスリーブを、重力によって前記重力送り機構の前記底端部へ移動させることができるようにするステップと、
以上のステップを順次に繰り返して、前記重力送り機構内の残りの前記スリーブに取り付けられた前記ケーシングに充填するステップとを含む方法。
【請求項１０】
フレーム、エマルジョンポンプ、及びこのポンプからエマルジョンを吐出するために、開放吐出端部を設けた中空詰めチューブを有するソーセージ製造機械であって、前記フレームに取り付けられて前記詰めチューブの前記吐出端部に整合した底端部を有する、ソーセージケーシングを事前装着した中空スリーブ用の重力送り機構と、この重力送り機構によって支持された、前記ソーセージケーシングを事前装着した複数のスリーブであって、このスリーブの１つが、前記重力送り機構の前記底端部に位置するスリーブと、前記重力送り機構の前記底部上に位置する取り外し手段であって、前記重力送り機構の前記底部に位置するスリーブを、その上の前記ケーシングが充填を完了してそれから取り外されるとき、選択的に解放する取り外し手段とを備え、このとき、前記取り外されたスリーブの上に隣り合って続く事前装着済みスリーブが、前記重力送り機構の前記底端部に重力で落下するようにしたソーセージ製造機械。
【請求項１１】
前記重力送り機構に組み合わされた解放手段は、前記重力解放機構の底端部に位置しており、スリーブを選択的に解放し、次に、前記取り外されたスリーブの代わりに、重力で落下するスリーブを保持することができる１対の対向ピボット式ジョーからなる、請求項１０に記載のソーセージ製造機械。
【発明の詳細な説明】
【技術分野】
【０００１】
本出願は、２００２年５月３１日に出願された米国特許願第１０／１６０，９３１号の一部継続出願に基づくものである。
【背景技術】
【０００２】
ソーセージのエマルジョン詰めには、通常、エマルジョンを中空詰めチューブを通して、チューブの吐出端部に向けて圧送することが必要である。中空の管状ケーシング材料が、管の外側に摺動可能に取り付けられ、他方の開放端部は、チューブの吐出端部をわずかに越えて延出している。それから、ケーシングの開放端部が任意の好都合な方法で閉鎖される。詰めチューブから押し出されたエマルジョンは、ケーシングに流入して、それを満たし、圧送されたエマルジョンに加わる圧力により、ケーシングをスリーブから摺動可能に移動させて外す。
【０００３】
次に充填済みケーシングは、従来型手段によってリンクに成形される。この処理は、人工ケーシングの場合にうまくいき、人工ケーシングは、シャーリングをつけること、すなわち収縮状に圧縮することができ、そのため、９ｍ（３０フィート）程度の長さのケーシングを、０．３ｍ（１フィート）をわずかに超える程度の長さのシャーリング状態に圧縮することができ、それにより、新しいシャーリング状態のケーシングをチューブに取り付ける前に、多くのソーセージを製造することができる。
【０００４】
しかし、動物の腸からなる天然ケーシングの場合、この天然ケーシングは、長さにばらつきがあり、かつ、人工ケーシングよりかなり短いため、ソーセージ製造処理は、かなり遅いものとなる。そのため、天然ケーシングを頻繁に交換しなければならず、したがって、製造機械に相当な休止時間が生じ、ケーシングへの充填の頻度は小となる。
【発明の開示】
【発明が解決しようとする課題】
【０００５】
本発明の主たる目的は、ケーシング支持スリーブをソーセージ製造機に迅速に装填する方法及び手段を提供することにある。
【０００６】
本発明のさらなる目的は、天然ケーシングにソーセージエマルジョンを詰める方法及び手段であって、ケーシングを迅速配置されるスリーブに事前装着し、それにより、天然ケーシングに充填しようとする時点で、天然ケーシングを詰めチューブの端部上に手動で被せることなく、事前装着済みスリーブを主詰めチューブに瞬時に取り付けることができるようにし、また、複数のスリーブを送り出し機構に取り付けて、ケーシングを次々と迅速に連続充填できるようにすることによって、天然ケーシングの詰め作業を大幅に加速する方法及び手段を提供することである。
【０００７】
本発明のさらなる目的は、天然ケーシングにエマルジョンを充填し終わった後に、ケーシングがスリーブの外面から離れる時、スリーブを詰めチューブ及び送出システムから自動的に取り外すのに好都合な構造を提供することである。
【０００８】
本発明のさらに別の目的は、先行のスリーブ上のケーシングへの充填が完了すると直ぐに、ケーシングに充填できるように、個別に移動可能に位置決めすることができる複数のケーシング事前装着済みスリーブを支持することができるスリーブカルーセルを提供することである。
【０００９】
本発明のさらなる目的は、充填が完了して、ケーシングが取り付けられていないスリーブを、製造機械から容易に取り外して、さらに同様に使用できるようにするシステムを提供することである。
【００１０】
本発明の別の目的は、経済的かつ効率的に使用されるソーセージ製造機械に、ケーシング支持スリーブを迅速に装填する方法及び手段を提供することである。
【００１１】
上記及び他の目的は、当業者には明らかであろう。
【課題を解決するための手段】
【００１２】
本発明によるソーセージケーシングにソーセージ材料を詰める方法は、異なった長さの複数のケーシングを入手するステップと、ケーシングより短かく、それより小径である細長い中空の端部開放形スリーブ上にケーシングを、ケーシングを収縮させることによって事前装着するステップと、迅速装填システムによって、スリーブをソーセージ製造機械の詰めチューブの開放端部に摺動可能に順次に取り付けるステップと、エマルジョンを詰めチューブを通して、スリーブに取り付けられたケーシング内へ、ケーシングに流入するエマルジョンの移動によって、ケーシングがスリーブから摺動可能に取り外されるまで、押し出すステップと、スリーブを詰めチューブから取り外すステップと、スリーブに別の天然ケーシングを事前装着することによって、スリーブの利用を繰り返すステップと、以上のステップに従い、迅速装填システムによって、残りの事前装着済みスリーブ上のケーシングにエマルジョンを順次に充填するステップとを含んでいる。
【００１３】
ソーセージ製造機械は、フレーム、エマルジョンポンプ、及びポンプに連結されて吐出端部を設けた中空の詰めチューブを有する。中空の端部開放形スリーブが、詰めチューブに摺動可能に取り付けられており、詰めチューブの吐出端部と整合する吐出端部を有する。スリーブには、スリーブの長さの少なくとも一部を覆って延在する一定長さのケーシングが事前装着され、ケーシングの端部は、詰めチューブ及びスリーブの吐出端部をわずかに越えた位置にある。複数のケーシング装着スリーブを迅速送出システムに取り付けて、スリーブの吐出端部と反対の端部上の半径方向フランジが、詰めチューブ上の半径方向フランジに当接し、それによって、スリーブの吐出端部及びチューブが互いに自動的に確実に整合するようにして、スリーブは、詰めチューブ上に順次配置される。
【００１４】
事前装着済みスリーブを詰めチューブ上の所定位置に配置した後、チューブを、従来通りに、ねじり及びリンキング機構に向けて長手方向前方に移動させる。ケーシングが満たされると、スリーブが被さっているチューブは、ねじり及びリンキング機構から長手方向に移動して離れ、スリーブが装填システムから適当な容器へ自動的に落下して再利用できるようにし、操作員が取り扱う必要がない。その時、装填システムは、別のケーシング装着スリーブを詰めチューブと整合する位置へ送り、処理を繰り返すことができる。
【００１５】
ケーシングをスリーブに事前装着する上記方法及び装置は、ケーシングへのエマルジョンの充填を相当に向上させるが、本発明は、ケーシングを支持する複数のスリーブをソーセージ製造機械に装填して、先行するスリーブ上のケーシングの充填が完了した直後に、それらのスリーブをソーセージ充填位置へ連続的に移動させる方法及び手段を提供することによって、処理をさらにもっと容易にするものである。
【００１６】
この方法は、具体的には、事前装着済みスリーブを送り機構上に配置して、スリーブをエマルジョン詰めチューブの吐出端部と整合する位置へ、選択的かつ順次に移動させること、及び詰めチューブを各スリーブ内へ順次に移動させて、エマルジョンを詰めチューブを通して、スリーブに取り付けられたケーシング内へ、ケーシングに流入するエマルジョンの移動によって、ケーシングがスリーブから摺動可能に取り外されるまで、押し出すことを可能にする。
【００１７】
この装置は、製造機に適当に移動可能に取り付けられた取り付け具を有し、この取り付け具は、複数の事前装着済みスリーブを備え、ケーシングにエマルジョンを順次に充填するために、スリーブを詰めチューブと選択的に整合させるように、順次に移動する。
【発明を実施するための最良の形態】
【００１８】
図１を参照すると、従来型ソーセージ製造機械１０は、フレーム１１、エマルジョン供給源（図示せず）に接続されたポンプ１２、摺動可能な詰めチューブ１４、ねじり機構１６、リンキング機構１８、吐出ホーン２０及びコンベヤ２２を有する。
【００１９】
図２、図３、図４、図５及び図６を参照すると、カルーセルプレートアセンブリ２４は、離間配置されたプレート２６及び２８からなり、これらのプレートはシャフト３０で回転可能に取り付けられている。プレート２６及び２８は、好都合なスペーサ部材（図示せず）によって、平行な関係で離して設けられている。
【００２０】
シャフト３０は、詰めチューブ１４の中心軸と平行な中心軸３１（図６）を有する。半円形ノッチ３２、３４、３６及び３８が、プレート２６及び２８に３時、６時、９時及び１２時の位置に切られている。４０（図４）は、半円形ノッチ３２〜３８の中心軸を示す。４２は、詰めチューブ１４の中心軸を示す。
【００２１】
図２を参照すると、スリーブ４４は、吐出端部４８と反対の端部に、円形の薄いフランジ４６を有する。通常、ケーシング５０はスリーブ４４に事前装着され、ケーシング５０の端部５２は、吐出端部４８を越えて延出している。
【００２２】
作用を説明する。図２、図３及び図４に示すものが作動して、上述したように、天然ケーシング５０を取り付けたスリーブ４４が、それぞれ半円形ノッチ３２及び３４内で、スペースプレート２６及び２８間に挿入され、図３に最もわかりやすく示されているように、カルーセルプレートアセンブリ２４から外向きに延出する。スリーブ４４は、フランジ４６の内側部分がスペースプレート２６及び２８間にはまることによって、半円形ノッチ３２及び３４内に着脱可能に保持される。そのスペースは、フランジ４６の厚さとほぼ等しい。
【００２３】
ついで、カルーセルプレートアセンブリ２４を、図４で見て反時計回り方向に回転させ、それにより、半円形ノッチ３４内のスリーブ４４は、１２時位置から９時位置へ移動し、それによって、詰めチューブ１４と整合するように位置決めされる。これは、詰めチューブ１４が、図３で見て、カルーセルプレートアセンブリ２４の左側の場所の後退位置にある間に行われる。
【００２４】
ついで、詰めチューブ１４を従来通りに前方へ移動させて、図３に最もわかりやすく示されているように、吐出端部１５を中空スリーブ４４内へ挿入する。次に、ポンプ１２を作動させて、エマルジョンを詰めチューブ１４から押し出し、エマルジョンが詰めチューブ１４から出て、スリーブ４４の吐出端部４８に進むと、ケーシング５０に充填され始め、エマルジョンの圧力がケーシング５０をスリーブ４４の外面から引き離してねじり機構１６内へ進め、リンキング機構１８内へ進める。
【００２５】
ケーシング５０が、スリーブ４４の外面から離れるのと同時に、ポンプは停止し、そのため、それ以上にエマルジョンは押し出されなくなり、チューブ１４は、図３で見て左側へ後退し、そのため、もはやスリーブ４４の内部へ進入しない。
【００２６】
カルーセルプレートアセンブリ２４が反時計回り方向に回転すると（図５）、カルーセルプレートアセンブリ上の半円形ノッチ３２は、図４に示された３時位置から１２時位置へ移動する。同様に、図４に示されたカルーセルプレートアセンブリ内の半円形ノッチ３８は、６時位置から３時位置へ移動する。
【００２７】
ケーシング５０を新しく事前装着したスリーブ４４が、この時に、３時位置にあるノッチ３８内に取り付けられる。ノッチ３４にはまったフランジ４４上のスリーブが、上述したように、それのケーシング充填作業を完了すると、カルーセルプレートアセンブリ２４は、図４で見て、さらに９０°回転し、それにより、ノッチ３４内のスリーブ４４を、後退している詰めチューブ１４と整合する９時位置に移動させる。この回転は、シャフト３０に連結されている任意の好都合な動力手段（図示せず）によって行われる。
【００２８】
ついで、ノッチ３４内の「空」スリーブ４４は６時位置へ移動して、垂直に適当な容器へ落下し、そこで、さらなる使用に備えて、それに新しいケーシング５０を再装着することができる。
【００２９】
以上のステップが連続的に繰り返され、それにより、３時及び１２時位置のスリーブは、順次９時位置へ移動し、それによって、上述したように、エマルジョンが充填され、それからさらに９０°ずつ回転し、それにより、９時位置で充填されたケーシングから離れて残っているスリーブは、６時位置に達したとき、カルーセルプレートアセンブリから落下する。
【００３０】
カルーセルプレートアセンブリ２４の回転は、上述したように、詰めチューブ１４の後退、及びそれからの貫入に連係する。前述したように、チューブ１４を９時位置でスリーブから後退させて、カルーセルアセンブリが、さらに９０°だけ回転し、次のスリーブ４４が詰めチューブと整合できるようにしなければならない。
【００３１】
この段階で、次に詰めチューブを９時位置にあるスリーブ４４内に貫入する位置へ移動させ、それによって、処理を繰り返すことができる。
【００３２】
また、前述したように、３時位置に空スロットが現れるときには、いつも、それに事前装着済みスリーブ４４が再び装填され、それにより、中断することなく、処理を継続することができる。
【００３３】
図７、図８及び図９は、本発明の代替形式を示し、細長いラック５４が設けられ、１対の離間配置されたプレート５６を有している。細長いラック部材５７がプレート間に配置され、プレートに固定されている。１対の半円形ノッチ５８及び６０が、プレートの、ラック部材５７と反対側の上縁部に設けられている。これらは、図４の実施形態に示されている半円形ノッチと同様である。
【００３４】
ラック部材５７に歯６２が設けられている。ピン６６で回転可能に取り付けられた従来型ピニオン６４が、ラック部材５７の真下に配置され、ピニオン上の従来型の歯が、ラック部材上の歯６２と噛み合い、それにより、ピニオン６４が回転すると、図８に最もわかりやすく示されているように、ラック５４の右手または左手のいずれかへの長手方向変位が起こる。ピニオン６４は、任意の適当な従来型手段によって回転させる。
【００３５】
ラック５４の動作は、ノッチ５８または６０を、図７及び図９に示されたチューブ１４に順次整合させるのに役立つ。図３において、スリーブ４４がカルーセルプレートアセンブリ２４から外向きに延出しているのとほとんど同様にして、スリーブ４４上のフランジ４６が、スリーブ４４をラックに対して外向きに突出した位置に保持する。
【００３６】
ピニオン６４は、ノッチ５８を詰めチューブ１４の軸と整合させる（図７）のに十分な距離だけ回転し、その位置で、その時は後退しているチューブ１４を作動させてスリーブ４４の中央にはめ込む（図７）。それにより、図３において、スリーブ４４がカルーセルプレートアセンブリ２４に取り付けられたときに行われたのとまったく同様に、ケーシング５０の充填を行うことができる。
【００３７】
ノッチ５８及び６０の一方内のスリーブ４４に装着されたケーシング５０が充填されて、スリーブ４４の外面から取り外された時、詰めチューブ１４は後退し、ピニオン６４がラック５４を前進させて、他方の半円形ノッチ内のスリーブ４４が詰めチューブ１４と整合して、処理が繰り返される。
【００３８】
半円形ノッチ５８及び６０のケーシングに充填されると、それらは、追加の事前装着済みスリーブと交換され、そのため、長手方向ラックでの処理を連続的に繰り返すことができる。
【００３９】
図１０〜図１３に示された本発明のさらなる代替実施形態においては、重力送り機構６８が設けられ、下端部に解放機構７２を有する１対の離間配置された垂直バー７０を備えている。解放機構は、１対の対向ピボット式ジョー７４（図１１及び図１３）からなり、それらは、ピン７６を中心に回動する。
【００４０】
図１２を参照すると、垂直バー７０の間に摺動可能に積み重ねる（図１１Ａを参照）ことができるだけの十分な間隔をおいて、離間配置された１対のフランジ８０を一端部に有する特別なスリーブ７８が設けられている。フランジ８０及びバー７０の相互作用により、スリーブ７８が送り機構６８（図１０）に対して直角に維持される。
【００４１】
図１０に最もわかりやすく示されているように、スリーブ７８の中空内孔は、その入口端部付近の８２の位置でわずかにテーパが付けられている。
【００４２】
重力送り機構６８の目的は、最下位置のスリーブ７８がジョー７４間に順次落下して、スリーブ７８の中心線が詰めチューブ１４の中心線と整合することができるようにすることである。前の２つの実施形態の場合とまったく同様に、ケーシングの充填作業中、チューブ１４の吐出端部１５を挿入し、その後に後退させなければならない。
【００４３】
上述したようにして、最下位置のスリーブ７８のケーシング５０に充填され、詰めチューブ１４がスリーブ７８のテーパ付き入口端部８２から後退すると、ジョー７４が外側位置へ移動し、それによって、最下位置のスリーブ７８を解放し、そのスリーブは送り機構６８から適当な容器内へ落下して、次の使用に備える。
【００４４】
ジョー７４を通常の閉鎖位置に戻したとき、次のスリーブ７８が所定位置に落下して、処理が繰り返される。スリーブ７８が、開放したジョー７４によって機構の下端部から落下すると、追加の事前装着済みスリーブを、送り機構６８の上端部内へ落下させることができる。
【００４５】
本明細書に開示された本発明は、天然ケーシングを含めたさまざまなケーシングに詰めるのに役立つ。また、ケーシングには、通常、肉エマルジョンが詰められるが、他の柔軟な食品エマルジョンを使用することもできる。
【００４６】
したがって、本発明によると、事前装着済みスリーブの迅速な装填を可能にし、本発明の目的が完全に達成されることが分かる。
【図面の簡単な説明】
【００４７】
【図１】従来型構成部品を示すソーセージ製造機の平面図である。
【図２】ケーシングを事前装着したスリーブを拡大して示す拡大斜視図である。
【図３】カルーセル取り付けユニットを示す本発明の第１実施形態の長手方向断面図である。
【図４】図３の右端部から見た端面図である。
【図５】後退した詰めチューブに関連させたカルーセル取り付けユニットの前方斜視図である。
【図６】図５と同様であるが、カルーセルに取り付けられた事前装着済みスリーブを示す図である。
【図７】事前装着済みスリーブを取り付けるために側方に延出したマガジンを使用する、本発明の第２実施形態の平面図である。
【図８】図７の右端部の立面図である。
【図９】詰めチューブ、マガジン及び事前装着済みスリーブの相互関係を示す分解斜視図である。
【図１０】スリーブ用解放機構を備えた、変更形事前装着済みスリーブ用の垂直配置マガジンを示す、本発明の第３実施形態の長手方向断面図である。
【図１１】図１０の端面図である。
【図１１Ａ】図１１の１１Ａ−１１Ａ線に沿った断面図である。
【図１２】図１０のマガジンに合わせて変更された事前装着済みスリーブを示すと共に、スリーブと従来型詰めチューブ及び従来型ねじり機構との相互関係を示す拡大分解斜視図である。
【図１３】図１０〜図１２のマガジンの拡大斜視図である。
【符号の説明】
【００４８】
１０  ソーセージ製造機械
１１  フレーム
１２  ポンプ
１４  詰めチューブ
１５  チューブ吐出端部
１６  ねじり機構
１８  リンキング機構
２０  吐出ホーン
２２  コンベヤ
２４  カルーセルプレートアセンブリ
２６、２８  スペースプレート
３０  シャフト
３１  中心軸
３２、３４、３６、３８  半円形ノッチ
４０  ノッチの中心
４２  詰めチューブの中心軸
４４  スリーブ
４６  フランジ
４８  スリーブ吐出端部
５０  ケーシング
５２  ケーシング端部
５４  ラック
５６  プレート
５７  ラック部材
５８、６０  半円形ノッチ
６２  ラックの歯
６４  ピニオン
６６  ピン
６８  重力送り機構
７０  垂直バー
７２  解放機構
７４  ピボット式ジョー
７６  ピン
７８  スリーブ
８０  フランジ
８２  スリーブ内孔テーパ
【図１】
2005527229.tif 000003
【図２】
2005527229.tif 000004
【図３】
2005527229.tif 000005
【図４】
2005527229.tif 000006
【図５】
2005527229.tif 000007
【図６】
2005527229.tif 000008
【図７】
2005527229.tif 000009
【図８】
2005527229.tif 000010
【図９】
2005527229.tif 000011
【図１０】
2005527229.tif 000012
【図１１】
2005527229.tif 000013
【図１２】
2005527229.tif 000014
【図１３】
2005527229.tif 000015
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
フレーム、エマルジョンポンプ、及びこのポンプからエマルジョンを吐出するために開放吐出端部を設けた中空詰めチューブを有するソーセージ製造機械であって、この製造機械に取り付けられた、選択的に回転可能なカルーセルプレートと、このカルーセルプレートに連結されて、それを選択的に回転させる手段と、前記カルーセルプレートに取り付けられて、開放吐出端部を有する複数の中空の端部開放形の細長いスリーブであって、このスリーブより大径で長い天然ケーシングが各スリーブに事前装着され、前記ケーシングは、前記スリーブの外面上で収縮状態にあるスリーブと、前記詰めチューブが後退位置へ長手方向に移動しているとき、前記スリーブが前記詰めチューブと整合する位置へ移動すると、前記詰めチューブを、各スリーブに対して長手方向に選択的に出し入れする手段と、この製造機械の前記詰めチューブの下流側に配置されたねじり及びリンキング作業部とを備え、それにより、前記詰めチューブが長手方向に移動して、１つのスリーブに貫入するとき、前記スリーブは、前記ねじり及びリンキング作業部の方へ移動して、その上のケーシングに、前記詰めチューブの吐出端部から押し出されたエマルジョンが充填され、また、前記詰めチューブが逆向きに長手方向移動することにより、前記詰めチューブがスリーブから後退し、また、前記カルーセルプレートがさらに回転することにより、別の事前装着済みスリーブが、前記詰めチューブと整合し、それにより、前記スリーブに詰めチューブが貫入して、その上のケーシングに順次に充填するようになっているソーセージ製造機械。
【請求項２】
フレーム、エマルジョンポンプ、及びこのポンプからエマルジョンを吐出するために開放吐出端部を設けた中空詰めチューブを有するソーセージ製造機械であって、この製造機械に取り付けられた横ラックと、このラックに取り付けられて、開放吐出端部を有する複数の中空の端部開放形の細長いスリーブであって、このスリーブより大径で、長いソーセージケーシングが、このスリーブに事前装着され、前記ケーシングは、前記スリーブの外面上で収縮状態にあるスリーブと、前記詰めチューブが後退位置へ移動しているとき、前記ラックを選択的に横方向移動させ、それによって、その上のスリーブを前記詰めチューブと整合する位置に順次に整合させる動力手段と、前記詰めチューブが後退位置へ長手方向に移動しているとき、前記スリーブが前記詰めチューブと整合する位置へ移動すると、前記詰めチューブを選択的に長手方向に移動させて、前記詰めチューブを前記スリーブに対して出し入れすることができる動力手段と、この製造機械の前記詰めチューブの下流側に配置されたねじり及びリンキング作業部とを備え、それにより、前記詰めチューブが長手方向に移動して、１つのスリーブに貫入するとき、前記スリーブは、前記ねじり及びリンキング作業部の方へ移動して、その上のケーシングに、前記詰めチューブの前記吐出端部から押し出されたエマルジョンを充填し、また、前記詰めチューブが逆向きに長手方向移動することにより、前記詰めチューブがスリーブから後退し、また、前記ラックがさらに横方向移動することにより、前記ラック上の他の事前装着済みスリーブが前記詰めチューブと順次に整合し、それにより、前記スリーブに詰めチューブが順次に貫入して、その上の前記ケーシングに充填するようになっているソーセージ製造機械。
【請求項３】
フレーム、エマルジョンポンプ、及びこのポンプからエマルジョンを吐出するために開放吐出端部を設けた中空詰めチューブを有するソーセージ製造機械であって、この製造機械に移動可能に取り付けられたスリーブ支持プレートと、このプレートに連結されて、それを選択的に順次に移動させる手段と、前記プレートに取り付けられて、開放吐出端部を有する複数の中空の端部開放形の細長いスリーブであって、このスリーブよりも大径で、長いソーセージケーシングが、前記スリーブに事前装着され、前記ケーシングは、前記スリーブの外面上で収縮状態にあるスリーブと、前記詰めチューブが後退位置へ長手方向に移動しているとき、前記スリーブが前記詰めチューブと整合する位置へ移動すると、前記詰めチューブを各スリーブに対して長手方向に選択的に出し入れする手段と、この製造機械の前記詰めチューブの下流側に配置されたねじり及びリンキング作業部とを備え、それにより、前記詰めチューブが長手方向に移動して１つのスリーブに貫入すると、前記スリーブは前記ねじり及びリンキング作業部の方へ移動して、その上の前記ケーシングに、前記詰めチューブの前記吐出端部から押し出されたエマルジョンを充填し、また、前記詰めチューブが逆向きに長手方向移動することにより、前記詰めチューブが前記スリーブから後退し、また、前記プレートがさらに順次に移動することにより、別の事前装着済みスリーブが前記詰めチューブと整合し、それにより、前記スリーブに前記詰めチューブが貫入して、その上の前記ケーシングに順次に充填するようになっているソーセージ製造機械。
【請求項４】
フレーム、エマルジョンポンプ、及びこのポンプからエマルジョンを吐出するために、開放吐出端部を設けた中空詰めチューブを有するソーセージ製造機械であって、前記フレームに取り付けられて前記詰めチューブの前記吐出端部に整合した底端部を有する、ソーセージケーシングを事前装着した中空スリーブ用の重力送り機構と、この重力送り機構によって支持された、前記ソーセージケーシングを事前装着した複数のスリーブであって、このスリーブの１つが、前記重力送り機構の前記底端部に位置するスリーブと、前記重力送り機構の前記底部上に位置する取り外し手段であって、前記重力送り機構の前記底部に位置するスリーブを、その上の前記ケーシングが充填を完了してそれから取り外されるとき、選択的に解放する取り外し手段とを備え、このとき、前記取り外されたスリーブの上に隣り合って続く事前装着済みスリーブが、前記重力送り機構の前記底端部に重力で落下するようにしたソーセージ製造機械。
【国際調査報告】
2005527229.tif 000016
2005527229.tif 000017
2005527229.tif 000018